(57)【要約】【課題】放水路に放出される排出海水に同伴される泡を簡易に採取して短時間で分析用の試料とすることができる使用済排出海水の泡採取装置を提供する。【解決手段】本発明に係る使用済排出海水の泡採取装置１０Ａは、使用済の排出海水１１の放水路１２に設けられ、排出海水１１に浮遊している泡２２の拡散を防止する１つ以上のフロート１３と、フロート１３の排出海水１１の流れ方向の前流側の表面に設けられ、泡２２を吸着する吸着ブラシ１４Ａとを有する。吸着ブラシ１４Ａに付着した泡２２はフロート１３の内部に引き込まれる際、液化し、液体として回収することができる。【選択図】図１
2013034922.tif 000002
【特許請求の範囲】
【請求項１】
使用済の排出海水を放水する放水路に係留されて設けられ、前記排出海水に浮遊している泡の拡散を抑制する浮体と、
前記浮体の上流側の表面に設けられ、前記泡を吸着する泡吸着材と、
を有することを特徴とする使用済排出海水の泡採取装置。
【請求項２】
使用済の排出海水を放水する放水路の前記排出海水の水面上に設けられ、円筒状浮体と、
前記浮体の表面の全周に渡って設けられ、前記排出海水に浮遊している泡を吸着する泡吸着材と、
を有することを特徴とする使用済排出海水の泡採取装置。
【請求項３】
請求項１において、
前記浮体が、略立方中空体であることを特徴とする使用済排出海水の泡採取装置。
【請求項４】
請求項１又は３において、
前記浮体は、内部に前記泡吸着部材を設ける支持部と、前記泡吸着部材を挿出可能とするための挿出手段とを有することを特徴とする使用済排出海水の泡採取装置。
【請求項５】
請求項１乃至４の何れか一つにおいて、
前記泡吸着材が、吸着ブラシであることを特徴とする使用済排出海水の泡採取装置。
【請求項６】
請求項５において、
前記吸着ブラシが、親水性繊維を用いて形成されることを特徴とする使用済排出海水の泡採取装置。
【発明の詳細な説明】
【技術分野】
【０００１】
本発明は、例えば火力発電所や原子力発電所等の発電プラントや化学プラント等の冷却水として、あるいは排ガスの洗浄用水として、海水を使用した後に再び海へ排出する使用済排出海水に同伴される泡を監視する使用済排出海水の泡採取装置に関するものである。
【背景技術】
【０００２】
原子力発電所、火力発電所などの種々の発電プラントでは、海水は復水器等の冷却水や、海水脱硫設備の排ガス処理用の水や熱交換器等の熱交換用の水として多量に使用されている。復水器で使用された後の使用済の排出海水、海水脱硫設備で用いた使用済の排出海水、熱交換器等から排出される排出海水は、温排水として放水路に排出され、海域や河川域に排出されている。
【０００３】
放水路には、一般に海の潮位の変動に対応するため堰を設置しているが、この堰を越えて排水が下流側に流れ落ちて空気を巻き込むことで、放水路の水面上には多量の泡が発生する。また、放水路には、排水が空気を巻き込むことで生じる泡の他に、界面活性剤などの化学薬品、微生物や生物死骸など汚染物などの様々な原因により生じている泡も含まれている場合がある。
【０００４】
空気を巻き込むことで生じる泡のほとんどは排水路の途中で消泡するが、化学薬品や汚染物等に起因して生じた泡は、化学薬品や汚染物等による界面活性作用により容易に破泡しないため、使用済海水や排出海水の表面に浮遊している場合が多く、排水路の排出口から海に排出される場合がある。
【０００５】
従来より、例えば、冷却水として用いる海水中に消泡剤等の薬剤を添加し、海水を冷却水として用いる際に泡が発生するのを抑制する発泡抑制方法などが用いられていた（例えば、特許文献１参照）。これにより、放水路の水面上に泡が発生するのを抑制し、放水路に流れる使用済海水や排出海水に泡が同伴して海域や河川域に流れ出さないようにしていた。
【０００６】
また、化学薬品や汚染物等に起因して生じた泡は、空気を巻き込むことで生じる泡に比べ外観も悪く、排水基準に泡の規制がないが、これらに起因して生じた泡が同伴された排出海水は、外観的に汚濁排水と認識されやすい。そのため、排水が放水される周辺の海域や河川域で行われている漁業や農業の安全性を確保する観点から、泡の安全性の確認や証明を行う場合がある。
【先行技術文献】
【特許文献】
【０００７】
【特許文献１】国際公開第２００８／０４１４００号
【発明の概要】
【発明が解決しようとする課題】
【０００８】
ここで、泡の安全性の確認や証明を行う際に、放水路から使用済海水や排出海水に浮遊している泡を回収し、分析等を行うためには、泡を液体にした状態で少なくとも数リットル確保する必要がある。また、放水路から使用済海水や排出海水に浮遊している泡を回収する際、放水路でバケツ等を用いて泡を袋や容器等に回収し、回収した泡を手で潰すなどして液体にしてから分析用の容器等に集める必要があった。
【０００９】
しかしながら、泡は多くの気泡を含んでいることから、分析用の試料として、泡を液体にした状態で数リットルを確保しようとすると、泡を採取し、分析用の試料を確保するためだけでも少なくとも１日以上要していた、という問題がある。
【００１０】
このように、放水路から使用済海水や排出海水に浮遊している泡を回収し、分析等を行うには、人手により行われる作業が多く労力を要することが多いことから、放水路の水面上に浮遊している泡を簡易に採取して短時間で分析用の試料とすることができる泡の泡検知装置が切望されている。
【００１１】
本発明は、前記問題に鑑みてなされたものであって、放水路に放出される排出海水に同伴される泡を簡易に採取して短時間で分析用の試料とすることができる使用済排出海水の泡採取装置を提供することを目的とする。
【課題を解決するための手段】
【００１２】
上述した課題を解決するための本発明の第１の発明は、使用済の排出海水を放水する放水路に係留されて設けられ、前記排出海水に浮遊している泡の拡散を抑制する浮体と、前記浮体の上流側の表面に設けられ、前記泡を吸着する泡吸着材と、を有することを特徴とする使用済排出海水の泡採取装置である。
【００１３】
第２の発明は、使用済の排出海水を放水する放水路の前記排出海水の水面上に設けられ、円筒状浮体と、前記浮体の表面の全周に渡って設けられ、前記排出海水に浮遊している泡を吸着する泡吸着材と、を有することを特徴とする使用済排出海水の泡採取装置である。
【００１４】
第３の発明は、第１の発明において、前記浮体が、略立方中空体であることを特徴とする使用済排出海水の泡採取装置である。
【００１５】
第４の発明は、第１又は第３の発明において、前記浮体は、内部に前記泡吸着部材を設ける支持部と、前記泡吸着部材を挿出可能とするための挿出手段とを有することを特徴とする使用済排出海水の泡採取装置である。
【００１６】
第５の発明は、第１乃至第４の何れか一つの発明において、前記泡吸着材が、吸着ブラシであることを特徴とする使用済排出海水の泡採取装置である。
【００１７】
第６の発明は、第５の発明において、前記吸着ブラシが、親水性繊維を用いて形成されることを特徴とする使用済排出海水の泡採取装置である。
【発明の効果】
【００１８】
本発明の使用済排出海水の泡採取装置によれば、放水路に放出される排出海水に同伴される泡を簡易に採取して短時間で分析用の試料とすることができる。
【図面の簡単な説明】
【００１９】
【図１】図１は、本発明の実施例１に係る使用済排出海水の泡採取装置を放水路に設けた状態を示す図である。
【図２】図２は、図１のＡ−Ａ方向から見た図である。
【図３】図３は、図２の部分拡大図である。
【図４】図４は、本発明の実施例１に係る使用済排出海水の泡採取装置の斜視図である。
【図５】図５は、フロートの内部の構成を簡略に示す図である。
【図６】図６は、図４のＡ−Ａ断面図である。
【図７】図７は、図４のＢ−Ｂ断面図である。
【図８】図８は、支持部とベルトとを連結の一例を示す斜視図である。
【図９】図９は、泡の採取方法の工程の一部を示す図である。
【図１０】図１０は、泡の採取方法の工程の一部を示す図である。
【図１１】図１１は、フロートの部分拡大図である。
【図１２】図１２は、泡の採取方法の工程の一部を示す図である。
【図１３】図１３は、本発明の実施例１に係る使用済排出海水の泡採取装置の他の構成を示す図である。
【図１４】図１４は、本発明の実施例１に係る使用済排出海水の泡採取装置の他の構成を示す斜視図である。
【図１５】図１５は、本発明の実施例２に係る使用済排出海水の泡採取装置を放水路に設けた状態を示す図である。
【図１６】図１６は、図１５のＡ−Ａ方向から見た図である。
【図１７】図１７は、円筒型フロートの斜視図である。
【図１８】図１８は、泡の採取方法の工程の一部を示す図である。
【図１９】図１９は、フロートの部分拡大図である。
【図２０】図２０は、泡の採取方法の工程の一部を示す図である。
【図２１】図２１は、泡の採取方法の工程の一部を示す図である。
【発明を実施するための形態】
【００２０】
以下に、本発明に係る使用済排出海水の泡採取装置の実施例を図面に基づいて詳細に説明する。なお、本発明は以下の実施例に記載した内容により限定されるものではない。また、以下に記載した下記実施例における構成要素には、当業者が容易に想定できるもの、実質的に同一のもの、いわゆる均等の範囲のものが含まれる。さらに以下に記載した下記実施例で開示した構成要素は適宜組み合わせることが可能である。
【実施例１】
【００２１】
本発明の実施例１に係る使用済排出海水の泡採取装置の構成について説明する。図１は、本発明の実施例１に係る使用済排出海水の泡採取装置を放水路に設けた状態を示す図であり、図２は、図１のＡ−Ａ方向から見た図であり、図３は、図２の部分拡大図であり、図４は、本発明の実施例１に係る使用済排出海水の泡採取装置の斜視図である。図１〜図４に示すように、本実施例に係る使用済排出海水の泡採取装置１０Ａは、使用済の排出海水１１を海へ排出する放水路１２に設けられ、浮体（フロート）１３と、吸着ブラシ（泡吸着部材）１４Ａとを有するものである。
【００２２】
排出海水１１は、例えば、海から取水した海水を火力発電所、原子力発電所等の発電プラントの復水器の冷却水として用い、復水器で熱交換されて温められた温排水であり、復水器などの放水管１５から海に向けて排出される使用済の海水である。
【００２３】
放水路１２には堰２１が設けられ、放水路１２の水面の高さは、復水器の方が海域側よりも高くなるように形成され、海の潮位の変動を受けないようにしている。
【００２４】
放水路１２には、排出海水１１が海に向けて排出されるまでの間に、排出海水１１には泡２２が多量に発生し、泡２２を同伴した排出海水１１が海に向けて流れている。泡２２は、排出海水１１が堰２１を越えて下流側に流れ落ちた際に排出海水１１が空気を巻き込むことで生じる泡や、界面活性剤などの化学薬品、微生物や生物死骸などの汚染物、水中の藻類や細菌、無機物や有機物の微粒子、多糖類、脂肪等の両親媒性生体高分子などの様々な原因により生じている泡などがある。空気を巻き込むことで生じる泡のほとんどは放水路１２の途中で消泡するが、汚染物等に起因して生じた泡は、水と水以外の物質（化学薬品や汚染物、水中の藻類や細菌、無機物や有機物の微粒子、多糖類、脂肪等の両親媒性生体高分子）が攪拌されたときに曝気され、いったん沈んだ泡が浮上する際に加圧浮上することによって気泡の周囲に吸着することから界面活性剤としての機能を果たし、気泡が割れにくくなっている。また、こうした泡２２に対しては、物理的な力を加えた場合でも、破泡、消泡せず、余計な泡を生じることが多い。すなわち、小さな泡が放水路１２の下部から上昇する過程で排出海水１１中や放水路１２の底部に堆積した汚泥などの汚濁成分が泡に巻き込まれることで、化学薬品や汚染物、水中の藻類や細菌、無機物や有機物の微粒子、多糖類、脂肪等の両親媒性生体高分子などを多く取り込み、泡の中に更に小さい泡が多数存在した状態の泡を形成することが考えられる。これにより、泡２２の皮膜が厚く、強固となる結果、気泡が割れにくくなり、破泡、消泡し難くなっている。そのため、化学薬品や汚染物等に起因して生じた泡は、放水路１２の排出口まで排出海水１１の表面に着色した状態で浮遊している場合が多い。
【００２５】
フロート１３は、放水路１２に係留されて設けられるものであり、放水路１２の下流側の放水路１２と海域との境近傍に係留されて設けられている。フロート１３は放水路１２の排出海水１１の流れ方向と略直交する方向に複数設けられている。フロート１３は、排出海水１１の表面近傍の流れを遮るため、排出海水１１の海水表層に浮遊している泡２２が排出海水１１に同伴して海に拡散するのを抑制している。
【００２６】
フロート１３は、図４に示すように、排出海水１１の流れ方向に直交する断面が四角形状の略立方中空体である。また、フロート１３同士は、例えば、紐等により各々連結されており、フロート１３の数は、放水路１２の幅、大きさ等により調整される。また、発生する泡２２に応じて、フロート１３の高さや水没量を適宜調整するようにしてもよい。
【００２７】
図５は、フロートの内部の構成を簡略に示す図であり、図６は、図４のＡ−Ａ断面図であり、図７は、図４のＢ−Ｂ断面図である。図５〜７に示すように、フロート１３は、その内部に、吸着ブラシ１４Ａを設ける支持部２４と、吸着ブラシ１４Ａを挿出可能とするための挿出手段２５とを有する。挿出手段２５は、支持部２４の両端上部に設けられる一対の連結部２７と、ベルト２８と、ローラ２９と、モータ３０とを有する。連結部２７は、図８に示すように、支持部２４とベルト２８とに各々設けてある連結部２７ａ、２７ｂを連結させて支持部２４とベルト２８とを連結させる。ベルト２８は連結部２７に対応して一対設けられている。ローラ２９は各ベルト２８に対して１組設けられている。１組のローラ２９のうち一方のローラ２９はモータ３０により回転するようにしている。また、支持部２４の両端下部には一対のローラ３１が設けられる。モータ３０を回転させることで一組のローラ２９のうちの一方のローラ２９を回転し、ベルト２８が回転する。ベルト２８の回転に伴い、連結部２７が移動することで支持部２４を移動させることができる。
【００２８】
フロート１３の排出海水１１の流れ方向の前流側の表面には複数の孔３３が設けられている。支持部２４は、各々の孔３３に対応するように、表面に吸着ブラシ１４Ａを固定するための固定部３４を有する。固定部３４の高さはフロート１３の壁面の厚さよりも大きく、支持部２４がフロート１３の排出海水１１の流れ方向の前流側の表面に接触する位置にある時には、固定部３４はフロート１３の表面から突出するようにしている。これにより、吸着ブラシ１４Ａに泡２２を吸着させることができる。
【００２９】
吸着ブラシ１４Ａは、フロート１３の排出海水１１の流れ方向の前流側の表面に設けられる繊維状吸着部材である。吸着ブラシ１４Ａは、複数の吸着ブラシ１４Ａを束ねて支持部２４の各固定部３４に設けられている。
【００３０】
吸着ブラシ１４Ａの材料は、特に限定されるものではないが、排出海水１１に浮遊している泡２２を効率良く吸着させるため、親水性繊維を用いて形成されるものであることが好ましい。親水性繊維は、分子構造中に水との親和性の高い水酸基（ＯＨ）を有しているため、泡２２を効率良く吸着することができる。親水性繊維としては、例えば、綿、レーヨンなどが挙げられる。
【００３１】
吸着ブラシ１４Ａの長さは、特に限定されるものではなく、フロート１３の大きさに応じて異なるが、例えば５ｍｍ〜２０ｍｍであることが好ましい。これは、吸着ブラシ１４Ａが長すぎると、吸着ブラシ１４Ａは付着した泡２２の重みに耐えられないため、吸着ブラシ１４Ａの先端が湾曲し、泡２２が排出海水１１に落下してしまう虞がある。また、吸着ブラシ１４Ａが短すぎると、吸着ブラシ１４Ａに泡２２を十分付着させることができないためである。
【００３２】
吸着ブラシ１４Ａはフロート１３の内部で固定部３４により固定され、フロート１３の内部での支持部２４の動きに連動して、吸着ブラシ１４Ａのフロート１３の表面からの突出量は調整可能に構成されている。排出海水１１に浮遊している泡２２を吸着させる際には、吸着ブラシ１４Ａはフロート１３の表面から全て突出させる。また、吸着ブラシ１４Ａに吸着した泡２２を回収する際には、吸着ブラシ１４Ａの一部をフロート１３の内部に引き込ませる。また、フロート１３は、内部の底部に溶液回収部３６を有する。これにより、吸着ブラシ１４Ａをフロート１３の内部に引き込んだ際に吸着ブラシ１４Ａに吸着した泡２２は、フロート１３の内部で吸着ブラシ１４Ａから液下して溶液回収部３６に回収される。
【００３３】
放水路１２を流れる排出海水１１に浮遊している泡２２を採取し、分析用の試料とするための泡２２の採取方法について図９〜図１２を用いて説明する。
【００３４】
図９に示すように、排出海水１１に浮遊している泡２２は吸着ブラシ１４Ａに吸着される。吸着ブラシ１４Ａに泡２２が十分吸着された後、図１０に示すように、モータ３０を回転させ、支持部２４を後方に移動させる。このとき、吸着ブラシ１４Ａに付着した泡２２は、図１１に示すように、吸着ブラシ１４Ａが孔３３を通過してフロート１３の内部に引き込まれる際、フロート１３の孔３３で吸着ブラシ１４Ａが絞られるため、吸着ブラシ１４Ａに付着していた泡２２は圧縮されて潰され、液化する。吸着ブラシ１４Ａは、フロート１３の内部に引き込んだ状態でしばらく放置しておくと、液化した泡成分３７は、吸着ブラシ１４Ａから液下してフロート１３の内部の底部に設けた溶液回収部３６に回収される。
【００３５】
また、吸着ブラシ１４Ａをフロート１３の内部に引き込む際には、吸着ブラシ１４Ａの先端は孔３３を通過させず、フロート１３の外側に位置するようにしておく。これにより、吸着ブラシ１４Ａをフロート１３の外側に再度押出す際に、容易に押し出すことができる。
【００３６】
吸着ブラシ１４Ａから泡成分３７が全て滴下して抜けた後、図１２に示すように、支持部２４をフロート１３の内部に引き込む時とは逆方向にモータ３０を回転させ、支持部２４を前方に移動させる。これにより、吸着ブラシ１４Ａをフロート１３の表面から飛び出させることができ、排出海水１１に浮遊している泡２２を吸着ブラシ１４Ａに吸着させることができる。
【００３７】
このようにして、吸着ブラシ１４Ａに吸着した泡２２をフロート１３の内部で回収し、所定量回収されたら、フロート１３を引き上げ、液体となった泡成分を分析する。
【００３８】
本実施例においては、排出海水１１に浮遊している泡２２を採取する回数は、１回としているが、これに限定されるものではなく、必要な採取量に応じて、排出海水１１に浮遊している泡２２を採取する回数は、複数回としてもよい。
【００３９】
また、フロート１３の内部が泡２２でいっぱいの場合には、液化処理を行うようにしてもよい。液化処理としては、例えば、ポンプやシリンジにより吸引したり、遠心力をかけて液化する方法等が挙げられる。
【００４０】
また、吸着ブラシ１４Ａは、フロート１３の表面から略垂直に伸びているが、本実施例はこれに限定されるものではなく、図１３に示すように、吸着ブラシ１４Ａの先端部分がフロート１３の表面から高さ方向に伸びるようにしてもよい。これにより、図１０に示すように、吸着ブラシ１４Ａをフロート１３の内部に引き込む際に、より効果的に吸着ブラシ１４Ａに付着した泡２２を、フロート１３の孔３３で絞ることができるため、泡２２を効率よく液化させ、得られる泡成分３７をフロート１３の溶液回収部３６に回収する。
【００４１】
また、吸着ブラシ１４Ａは、フロート１３の排出海水１１流れの前流側に設けているが、本実施例はこれに限定されるものではなく、図１４に示すように、フロート１３の上部に設けるようにしてもよい。このとき、フロート１３の内部には、上述のように、フロート１３の上部に設けた吸着ブラシ１４Ａを駆動させるための挿出手段２５をフロート１３の内部に設けるようにする。
【００４２】
よって、本実施例に係る使用済排出海水の泡採取装置１０Ａによれば、フロート１３の表面に吸着ブラシ１４Ａを設け、放水路１２に放出される排出海水１１に同伴した泡２２を吸着ブラシ１４Ａに吸着させ、吸着ブラシ１４Ａに吸着した泡２２をフロート１３の内部に引き込む際に、吸着ブラシ１４Ａが絞られることで液体の泡成分３７として回収することができる。このため、放水路１２に放出される排出海水１１に浮遊している泡２２を短時間で容易に液化し、分析用として回収することができる。また、泡２２を分析する際には、フロート１３を放水路１２の外側に移動させて回収するため、液体の泡成分３７は必要な分だけ分析用の試料として採取することができる。
【００４３】
この採取した泡２２や液体の泡成分３５は、別途公知の分析手段により分析される。この泡２２や泡成分３５の分析は、発泡原因となりうる有機物や生物等の調査、例えば泡２２の内容物や構成する物質の把握を行う場合には、例えば、試料外観観察、顕微鏡観察、全有機炭素（ＴＯＣ）分析、ＣＨＮ元素分析（Elemental  Analysis（Carbon、Hydrogen、Nitrogen））、浮遊物質量（ＳＳ）測定、示差熱分析（Differential  Thermal  Analysis:ＤＴＡ）、重金属分析、写真判定分析等により行うことができる。
【００４４】
本実施例においては、泡吸着部材として吸着ブラシ１４Ａを用いているが、本実施例はこれに限定されるものではなく、泡２２を吸着できる部材であってフロート１３に設けることができるものであればよい。
【００４５】
本実施例においては、排出海水１１として、火力発電所、原子力発電所等の発電プラントの復水器等から排出される使用済海水に同伴される泡を監視し、処理する場合について説明したが、本実施例はこれに限定されるものではなく、海水脱硫設備で用いた使用済の排出海水、熱交換器等から排出される排水、河川に排出される排水等についても同様に適用することができる。
【実施例２】
【００４６】
本実施例に係る使用済排出海水の泡採取装置について説明する。本実施例に係る使用済排出海水の泡採取装置は、フロート１３の構成以外、上述した図１〜図４に示す実施例１に係る使用済排出海水の泡採取装置の構成と同様である。そのため、上述した実施例１と同一の構成には同一の符号を付し、重複した説明を省略する。
【００４７】
図１５は、本発明の実施例２に係る使用済排出海水の泡採取装置を放水路に設けた状態を示す図であり、図１６は、図１５のＡ−Ａ方向から見た図であり、図１７は、円筒型フロートの斜視図である。図１５〜図１７に示すように、本実施例に係る使用済排出海水の泡採取装置１０Ｂは、排出海水１１を海へ排出する放水路１２の水面上に設けられる円筒型フロート（円筒状浮体）４１と、円筒型フロート４１の表面の全周に渡って設けられる吸着ブラシ１４Ｂとを有するものである。
【００４８】
円筒型フロート４１は、長手方向に直交する断面が円筒状の中空体である。円筒型フロート４１は、その内部に円筒型フロート４１を軸方向に貫通した内部通路４３を有する。円筒型フロート４１は、放水路１２の排出海水１１の流れ方向と略直交する方向に複数設けられている。各円筒型フロート４１同士は、各円筒型フロート４１の内部通路４３に支持棒４４を貫通させて放水路１２の排出海水１１上に位置するように設けられている。
【００４９】
支持棒４４は、放水路１２の両壁面の外側まで伸びて設けられているが、本実施例はこれに限定されるものではなく、放水路１２の両壁面に設けるようにしてもよい。
【００５０】
円筒型フロート４１の表面の全周に渡って複数の吸着ブラシ１４Ｂが放射状に設けられている。また、上述した実施例１に係る使用済排出海水の泡採取装置１０Ａと同様、円筒型フロート４１の表面の各孔４５に複数の吸着ブラシ１４Ｂが束で収まるようにしている。
【００５１】
円筒型フロート４１は、排出海水１１と接触しないように設けられ、吸着ブラシ１４Ｂが排出海水１１に一部浸漬するように設けられている。吸着ブラシ１４Ｂの一部のみが排出海水１１に浸漬するようにしておくことで、排出海水１１の流れにより各円筒型フロート４１は長手方向に対して直交方向に回転させることができる。また、排出海水１１に浮遊している泡２２は吸着ブラシ１４Ｂに吸着された後、円筒型フロート４１の回転による遠心力により、円筒型フロート４１の表面側の方向に移動して円筒型フロート４１の表面の孔４５に取り込まれる。その際、吸着ブラシ１４Ｂに吸着した泡２２が孔４５に取り込まれる際、吸着ブラシ１４Ｂの束が孔４５の大きさ内に収まるように絞られるため、吸着ブラシ１４Ｂに付着していた泡２２は液化して液体の泡成分３７となり、円筒型フロート４１の内部に回収される。
【００５２】
放水路１２を流れる排出海水１１に浮遊している泡２２を採取し、分析用の試料とするための泡２２の採取方法について説明する。
【００５３】
支持棒４４に複数の円筒型フロート４１を取り付け、放水路１２に排出海水１１の流れ方向と直交する方向に複数の円筒型フロート４１を設け、図１８に示すように、吸着ブラシ１４Ｂの一部のみを排出海水１１に浸漬させる。これにより、排出海水１１の流れにより円筒型フロート４１は回転すると共に、排出海水１１に浮遊している泡２２を吸着ブラシ１４Ｂに吸着させることができる。吸着ブラシ１４Ｂに吸着した泡２２は、円筒型フロート４１の回転により生じる遠心力により、円筒型フロート４１の表面近傍に流れる。このとき、吸着ブラシ１４Ｂに付着した泡２２は、図１９に示すように、吸着ブラシ１４Ｂが孔３３を通過して円筒型フロート４１の内部に引き込まれる際、円筒型フロート４１の孔４５で泡２２が絞られるため、吸着ブラシ１４Ｂに付着していた泡２２は圧縮されて潰され、液化し、液化した泡成分３７が円筒型フロート４１の内部に回収される。
【００５４】
泡成分３７が円筒型フロート４１の内部に回収された後、図２０に示すように、支持棒４４を吸着ブラシ１４Ｂが排出海水１１に接触しない位置まで垂直方向に移動させる。これにより、吸着ブラシ１４Ｂは、排出海水１１に浸漬していないため、円筒型フロート４１の回転は停止し、吸着ブラシ１４Ｂに付着した泡２２が円筒型フロート４１の内部方向に移動するのが停止する。
【００５５】
その後、支持棒４４を移動し、円筒型フロート４１を放水路１２の外側に移動させ、支持棒４４に取り付けた円筒型フロート４１の内部に溜まった泡成分３７と、吸着ブラシ１４Ｂに付着した泡２２を回収する。
【００５６】
円筒型フロート４１の内部に溜まった泡成分３７と、吸着ブラシ１４Ｂに付着した泡２２を回収した後、再び、支持棒４４に円筒型フロート４１を取り付け、支持棒４４を移動する。そして、図２１に示すように、円筒型フロート４１を放水路１２の水面上に移動させ、円筒型フロート４１を吸着ブラシ１４Ｂの一部が排出海水１１に浸漬するまで移動し、吸着ブラシ１４Ｂに泡２２を吸着させ、円筒型フロート４１の内部に泡２２を回収する。
【００５７】
よって、本実施例に係る使用済排出海水の泡採取装置１０Ｂによれば、円筒型フロート４１の表面に吸着ブラシ１４Ｂを設け、吸着ブラシ１４Ｂを排出海水１１に一部浸漬させることで、排出海水１１の流れを利用して円筒型フロート４１を回転させつつ、吸着ブラシ１４Ｂに泡２２を吸着させることができる。吸着ブラシ１４Ｂに吸着した泡２２は、円筒型フロート４１の回転による遠心力により円筒型フロート４１の表面側に引き込み、液体の泡成分３７を円筒型フロート４１の内部に回収することができる。このため、放水路１２に放出される排出海水１１に浮遊している泡２２を短時間で容易に液化し、分析用として回収することができる。また、液体の泡成分３７は必要な分だけ分析用の試料として採取することができる。
【００５８】
本実施例においては、排出海水１１に浮遊している泡２２を採取する回数は、１回としているが、これに限定されるものではなく、必要な採取量に応じて、排出海水１１に浮遊している泡２２を採取する回数は、複数回としてもよい。
【００５９】
本実施例においては、円筒型フロート４１の内部から泡成分３７や吸着ブラシ１４Ｂに付着した泡２２を回収した後、再度、同一の円筒型フロート４１を用いているが、これに限定されるものではなく、円筒型フロート４１の腐食や破損状況などに応じて、新たし円筒型フロート４１を支持棒４４に取り付け、用いてもよい。
【００６０】
本実施例においては、円筒型フロート４１の表面に放射状に複数の吸着ブラシ１４Ｂを設け、各吸着ブラシ１４Ｂ毎に円筒型フロート４１の表面に孔３３を設け、吸着ブラシ１４Ｂに付着した泡２２を回収しているが、本実施例はこれに限定されるものではなく、吸着ブラシ１４Ｂ毎に円筒型フロート４１の表面に孔３３を設けるようにしてもよい。
【符号の説明】
【００６１】
１０Ａ、１０Ｂ  使用済排出海水の泡採取装置
１１  排出海水
１２  放水路
１３  浮体（フロート）
１４Ａ、１４Ｂ  吸着ブラシ（泡吸着部材）
１５  放水管
２１  堰
２２  泡
２４  支持部
２５  挿出手段
２７  連結部
２８  ベルト
２９、３１  ローラ
３０  モータ
３３、４５  孔
３４  固定部
３６  溶液回収部
３７  泡成分
４１  円筒型フロート（円筒状浮体）
４３  内部通路
４４  支持棒
【図１】
2013034922.tif 000003
【図２】
2013034922.tif 000004
【図３】
2013034922.tif 000005
【図４】
2013034922.tif 000006
【図５】
2013034922.tif 000007
【図６】
2013034922.tif 000008
【図７】
2013034922.tif 000009
【図８】
2013034922.tif 000010
【図９】
2013034922.tif 000011
【図１０】
2013034922.tif 000012
【図１１】
2013034922.tif 000013
【図１２】
2013034922.tif 000014
【図１３】
2013034922.tif 000015
【図１４】
2013034922.tif 000016
【図１５】
2013034922.tif 000017
【図１６】
2013034922.tif 000018
【図１７】
2013034922.tif 000019
【図１８】
2013034922.tif 000020
【図１９】
2013034922.tif 000021
【図２０】
2013034922.tif 000022
【図２１】
2013034922.tif 000023